(57)【特許請求の範囲】
【請求項１】
通話状態において、所定の機能キーが選択されると、スピーカフォン機能をアクティブにした後にメモ機能をアクティブにする一方、前記スピーカフォン機能及び前記メモ機能がアクティブ状態にあるときに前記所定の機能キーが選択されると、前記メモ機能を非アクティブにした後に前記スピーカフォン機能を非アクティブにする制御部と、
タッチスクリーンで構成され、前記通話状態ではキーパッドを表示し、前記メモ機能のアクティブ状態では前記キーパッドを非表示にした後にメモ内容が入力されて当該メモ内容を表示する第１ディスプレイ部と、
前記入力されたメモ内容を保存するメモリと、
を含んで構成され、
前記制御部は、前記第１ディスプレイ部上で移動メニューが選択され、前記入力されたメモ内容が所定の容量を超え、又は、所定時間が経過すると、ユーザが前記第１ディスプレイ部にメモ内容を連続して入力できるようにするために、前記第１ディスプレイ部に表示されたメモ内容を前記第１ディスプレイ部とは別の第２ディスプレイ部に移動させることを特徴とするメモ機能を提供する移動通信端末機。
【請求項２】
前記所定の機能キーは、メモ機能又はスピーカフォン機能が割り当てられていることを特徴とする請求項１に記載のメモ機能を提供する移動通信端末機。
【請求項３】
前記メモ機能は、テキスト情報の入力／保存機能および音声情報の録音機能を含むことを特徴とする請求項１又は２に記載のメモ機能を提供する移動通信端末機。
【請求項４】
前記メモリが、前記入力されたメモ内容をユーザの選択によってイメージファイル形式又はテキストファイル形式で保存することを特徴とする請求項１〜３のいずれか一つに記載のメモ機能を提供する移動通信端末機。
【請求項５】
前記入力されたメモ内容の文字部分を認識して、テキストデータにするテキスト認識部をさらに含んで構成されたことを特徴とする請求項４に記載のメモ機能を提供する移動通信端末機。
【請求項６】
前記制御部は、前記テキスト認識部が文字の認識に成功すると、前記入力されたメモ内容をテキストファイル形式で保存し、文字の認識に失敗すると、前記入力されたメモ内容をイメージファイル形式で保存するように制御することを特徴とする請求項５に記載のメモ機能を提供する移動通信端末機。
【請求項７】
タッチスクリーンで構成された第１ディスプレイ部にキーパッドが表示される通話状態において、所定の機能キーが選択されると、スピーカフォン機能をアクティブにした後にメモ機能をアクティブにする段階と、
前記メモ機能がアクティブになって前記キーパッドが非表示にされた後に、前記第１ディスプレイ部にメモ内容が入力されると共に入力されたメモ内容を前記第１ディスプレイ部に表示する段階と、
前記入力されたメモ内容を保存する段階と、
前記スピーカフォン機能及び前記メモ機能がアクティブ状態にあるときに前記メモ機能を終了するか否かを確認する段階と、
前記メモ機能を終了する場合に、前記メモ機能を非アクティブにした後に前記スピーカフォン機能を非アクティブにする段階と、
を含んで構成され、
前記メモ内容が入力されると共に入力されたメモ内容を表示する段階は、前記第１ディスプレイ部上の移動メニューが選択され、前記入力されたメモ内容が所定の容量を超え、又は、所定時間が経過すると、ユーザが前記第１ディスプレイ部にメモ内容を連続して入力できるようにするために、前記第１ディスプレイ部に表示されたメモ内容を前記第１ディスプレイ部とは別の第２ディスプレイ部に移動させることを特徴とする移動通信端末機のメモ機能を提供する方法。
【請求項８】
前記所定の機能キーは、メモ機能又はスピーカフォン機能が割り当てられていることを特徴とする請求項７に記載の移動通信端末機のメモ機能を提供する方法。
【請求項９】
前記メモ機能は、テキスト情報の入力／保存機能および音声情報の録音機能を含むことを特徴とする請求項７又は８に記載の移動通信端末機のメモ機能を提供する方法。
【請求項１０】
前記保存する段階は、
前記入力されたメモ内容をユーザの選択によってテキストファイル形式又はイメージファイル形式で保存することを特徴とする請求項７〜９のいずれか一つに記載の移動通信端末機のメモ機能を提供する方法。
【請求項１１】
前記保存する段階は、
保存機能が選択されると、ユーザに対して、少なくとも１つの保存形式のうちいずれか１つを選択させる段階と、
前記選択された保存形式がテキストファイル形式であると、前記入力されたメモ内容の文字部分を認識する段階と、
前記文字部分の認識に成功すると、前記入力されたメモ内容をテキストファイル形式で保存する段階と、
を含んで構成されることを特徴とする請求項１０に記載の移動通信端末機のメモ機能を提供する方法。
【発明の詳細な説明】
【技術分野】
【０００１】
本発明は、移動通信端末機に関し、特に、通話状態でのメモ機能についてユーザの利便性を向上させる移動通信端末機及びその方法に関する。
【背景技術】
【０００２】
一般に、移動通信端末機は、基地局が提供するサービスエリア内を移動しながら、ＭＳＣ（Mobile Switching Center）のスイッチング制御によって、あらゆる状況下で、通信相手との無線呼を提供し、及び無線接続を提供することができる通信装置である。特に、大型ディスプレイ装置を備え、動画や静止画の撮像が可能なカメラを装着した移動通信端末機の開発が活発に行われている。
【０００３】
移動通信端末機は、ユーザに対して、より多くの利便性及び通信用途（アプリケーション）を提供するために、代表的な基本サービスである通信機能に加えて、日常生活において一般に使用される種々の付加サービスを備えている。特に、端末機メーカーから提供される付加サービスは、ユーザに人気がある。
【０００４】
このような付加サービスは、移動通信端末機の通話状態（call state）においても提供される。以下、付加サービスとして、通話状態にある移動通信端末機で、メモ機能を提供する方法を簡単に説明する。
【０００５】
まず、ユーザが、通話状態で、移動通信端末機の少なくとも１つのメニューからメモ機能を選択する。これを受けて、移動通信端末機は、メモ機能をアクティブにし、これを実行する。
【０００６】
このメモ機能は、ユーザが、通話状態において、通信相手から一連の情報を得たいような場合などに用いられる。移動通信端末機は、ユーザがアクティブにしたメモ機能によって、通話相手から得た一連の情報が入力され、この入力された情報を保存する。
【０００７】
その後、ユーザが、メモ機能の終了キーを選択すると、移動通信端末機は、アクティブ状態のメモ機能を非アクティブにし、通話接続（call connection）を継続して維持する。
【発明の開示】
【発明が解決しようとする課題】
【０００８】
しかし、従来技術によるメモ機能を提供する移動通信端末機では、ユーザは通話とメモとをそれぞれ別個に行わなければならず、通話と同時に、テキストメモを入力することができないという問題があった。つまり、通話状態を維持したまま、テキストメモを入力するには、ユーザは、通話状態にある移動通信端末機を耳から離して（受話口を耳から遠ざけて）、テキスト入力できる位置に移動通信端末機を持ち替えてからテキストメモを入力しなければならないため、一々会話を中断しなければならず、通話状態においてメモ機能を有効に活用できないという煩雑さがあった。
【０００９】
本発明は、このような従来技術の問題を解決するためになされたもので、移動通信端末機の通話状態でメモ機能が選択されると、スピーカフォン（speakerphone）機能を実行して、移動通信端末機を耳から離した状態で通話することができると同時に、ディスプレイを目視できる状態でテキストメモを入力することが可能なユーザの利便性を向上させたメモ機能を提供する移動通信端末機及びその方法を提供することを目的とする。
【課題を解決するための手段】
【００１０】
上記の目的を達成するために、本発明によるメモ機能を提供する移動通信端末機は、通話状態において、所定の機能キーが選択されると、スピーカフォン機能をアクティブにした後にメモ機能をアクティブにする一方、前記スピーカフォン機能及び前記メモ機能がアクティブ状態にあるときに前記所定の機能キーが選択されると、前記メモ機能を非アクティブにした後に前記スピーカフォン機能を非アクティブにする制御部と、タッチスクリーンで構成され、前記通話状態ではキーパッドを表示し、前記メモ機能のアクティブ状態では前記キーパッドを非表示にした後にメモ内容が入力されて当該メモ内容を表示する第１ディスプレイ部と、前記入力されたメモ内容を保存するメモリと、を含んで構成され、前記制御部は、前記第１ディスプレイ部上で移動メニューが選択され、前記入力されたメモ内容が所定の容量を超え、又は、所定時間が経過すると、ユーザが前記第１ディスプレイ部にメモ内容を連続して入力できるようにするために、前記第１ディスプレイ部に表示されたメモ内容を前記第１ディスプレイ部とは別の第２ディスプレイ部に移動させることを特徴とする。
【００１１】
この移動通信端末機の前記所定の機能キーは、メモ機能又はスピーカフォン機能が割り当てられているとよい。前記メモ機能は、テキスト情報の入力／保存機能及び音声情報の録音機能を含むとよい。前記メモリは、前記入力されたメモ内容をユーザの選択によってイメージファイル形式又はテキストファイル形式で保存するとよい。
【００１２】
メモ機能を提供する移動通信端末機は、前記入力されたメモ内容の文字部分を認識して、テキストデータにするテキスト認識部をさらに含んで構成されるとよい。この場合、前記制御部は、前記テキスト認識部が文字の認識に成功すると、前記入力されたメモ内容をテキストファイル形式で保存し、文字の認識に失敗すると、前記入力されたメモ内容をイメージファイル形式で保存するように制御することが好ましい。
【００１３】
また、上記の目的を達成するために、本発明による移動通信端末機のメモ機能を提供する方法は、タッチスクリーンで構成された第１ディスプレイ部にキーパッドが表示される通話状態において、所定の機能キーが選択されると、スピーカフォン機能をアクティブにした後にメモ機能をアクティブにする段階と、前記メモ機能がアクティブになって前記キーパッドが非表示にされた後に、前記第１ディスプレイ部にメモ内容が入力されると共に入力されたメモ内容を前記第１ディスプレイ部に表示する段階と、前記入力されたメモ内容を保存する段階と、前記スピーカフォン機能及び前記メモ機能がアクティブ状態にあるときに前記メモ機能を終了するか否かを確認する段階と、前記メモ機能を終了する場合に、前記メモ機能を非アクティブにした後に前記スピーカフォン機能を非アクティブにする段階と、を含んで構成され、前記メモ内容が入力されると共に入力されたメモ内容を表示する段階は、前記第１ディスプレイ部上の移動メニューが選択され、前記入力されたメモ内容が所定の容量を超え、又は、所定時間が経過すると、ユーザが前記第１ディスプレイ部にメモ内容を連続して入力できるようにするために、前記第１ディスプレイ部に表示されたメモ内容を前記第１ディスプレイ部とは別の第２ディスプレイ部に移動させることを特徴とする。
【００１４】
この方法の前記所定の機能キーは、メモ機能又はスピーカフォン機能が割り当てられているとよい。前記メモ機能は、テキスト情報の入力／保存機能及び音声情報の録音機能を含むとよい。
【００１６】
前記保存する段階では、前記入力されたメモ内容をユーザの選択によってテキストファイル形式又はイメージファイル形式で保存するとよい。また、前記保存する段階は、保存機能が選択されると、ユーザに対して、少なくとも１つの保存形式のうちいずれか１つを選択させる段階と、前記選択された保存形式がテキストファイル形式であると、前記入力されたメモ内容の文字部分を認識する段階と、前記文字部分の認識に成功すると、前記入力されたメモ内容をテキストファイル形式で保存する段階と、を含んで構成されるとよい。
【００１７】
さらに、上記の目的を達成するために、本発明による移動通信端末機の付加サービスを提供する方法は、通話状態において、ユーザにより付加サービスが選択されると、スピーカフォン機能をアクティブにして該スピーカフォン機能を提供した後に、前記選択された付加サービスをアクティブにして該付加サービスを提供する段階と、前記スピーカフォン機能及び前記付加サービスがアクティブ状態にあるときに、ユーザにより付加サービスの終了が選択されると、前記付加サービスを非アクティブにした後に、前記スピーカフォンを非アクティブにする段階と、を含んで構成されることを特徴とする。
【００１８】
この方法では、前記付加サービスが、オンラインサービス、メッセージ機能、カメラ機能、及び各種付加機能のいずれか１つであるとよい。
【発明の効果】
【００１９】
本発明の通話状態でメモ機能を提供する移動通信端末機及びその方法は、通話状態にある移動通信端末機において、メモ機能が選択されると、スピーカフォン機能を実行して、移動通信端末機を耳から離した状態で通話を行うことができると同時に、移動通信端末機のディスプレイを目視できる状態でテキストメモを入力することができるようになる。これにより、ユーザの利便性が向上する。
【発明を実施するための最良の形態】
【００２０】
以下、通話状態で予め設定されたメモ機能キーが押下されると、スピーカフォン機能を実行して、ユーザに対して通話機能とメモ機能とを同時に実行させることが可能なユーザの利便性を向上させた、本発明によるメモ機能を提供する移動通信端末機及びその方法の好ましい実施形態について添付の図面を参照して説明する。本発明の実施形態においては、ユーザが通話機能とメモ機能とを同時に実行する場合について説明するが、本発明は、これに限定されるものではなく、通話状態で提供できるメモ機能以外の全ての付加サービスに関しても適用することができる。
【００２１】
ここで、付加サービスとは、基本サービスである通話機能以外の機能である。例えば、（１）オンラインゲーム、携帯インターネットサービス、ＶＯＤ（Video On Demand）機能、ファイルダウンロード機能などのオンラインサービス、（２）チャット、インスタントメッセージ、ショートメッセージ、マルチメディアメッセージ、電子メールなどの各種メッセージ機能、（３）テレビ電話、（４）動画の撮像、静止画の撮像などのカメラ機能、（５）スケジューラ、電話帳検索、電卓、メモ帳、通信内容録音、通信内容録画、端末機状態設定、カレンダー検索、世界時間表示、アラーム設定、動画像や音楽ファイルの再生などの各種付加機能などを含む。
【００２２】
図１は、本発明の第１実施形態によるメモ機能を提供する移動通信端末機を示す構成図である。
【００２３】
図１に示すように、本発明の第１実施形態によるメモ機能を提供する移動通信端末機は、送受信部１１０と、オーディオ処理部１２０と、メモリ１４０と、通話状態でユーザがメモ機能を選択するか否かを確認し、メモ機能が選択されるとスピーカフォン機能をアクティブにする制御部１３０と、メモ機能がアクティブになるとユーザによってメモ内容が入力される入力部１５０と、入力されたメモ内容を表示するディスプレイ部１６０と、を含んで構成される。ここで、入力部１５０はキーパッドやタッチキーパッドなどを含む。
【００２４】
以下、このように構成された本発明の第１実施形態による移動通信端末機のメモ機能を提供する方法について図２を参照して説明する。図２は、本発明の第１実施形態による移動通信端末機のメモ機能を提供する方法を示すフローチャートである。
【００２５】
図２に示すように、本発明の第１実施形態による移動通信端末機のメモ機能を提供する方法は、通話状態で、ユーザがメモ機能を選択するか否かを確認する段階（Ｓ２１０）と、メモ機能が選択されると、スピーカフォン機能をアクティブにし、スピーカを介した通話機能を提供する段階（Ｓ２２０）と、ユーザによって選択されたメモ機能をアクティブにして、メモ機能を提供する段階（Ｓ２３０）と、アクティブ状態のメモ機能の終了がユーザによって選択されるか否かを確認する段階（Ｓ２４０）と、メモ機能の終了が選択されると、アクティブ状態のメモ機能を非アクティブにした後、スピーカフォン機能を非アクティブにする段階（Ｓ２５０）と、を含んで構成される。ここで、メモ機能とは、一連の情報を保存できる機能であって、テキスト情報の入力／保存機能のほか、音声情報の録音機能をも含んだ機能を意味する。
【００２６】
以下、このような本発明の第１実施形態による移動通信端末機のメモ機能を提供する方法をより詳細に説明する。
【００２７】
移動通信端末機は、スピーカフォン機能とメモ機能とをアクティブ／非アクティブにする予め設定された所定の機能キー（例えば、スピーカフォン機能キー及びメモ機能キー）を含んで構成されている。また、本発明の移動通信端末機は、通話状態でメモ機能以外の他の機能を含む付加サービスを提供することもできる。
【００２８】
まず、制御部１３０は、ユーザがメモ機能を選択するか否かを確認する（Ｓ２１０）。ユーザによってメモ機能が選択されると、スピーカフォン機能をアクティブにし、通常の受話口（レシーバ）から通信相手の送信音声を出力するのではなく、スピーカから通信相手の送信音声を出力するスピーカフォン機能を実行して、ユーザに対して通話機能を提供する（Ｓ２２０）。
【００２９】
また、制御部１３０は、スピーカフォン機能による通話機能を提供する場合、選択されたメモ機能をアクティブにし、ユーザに対してメモ機能を提供する（Ｓ２３０）。すなわち、ユーザは、入力部１５０を介してメモ内容を入力して、メモリ１４０に保存することができる。加えて、使用者は、メモ内容を１つ以上の様々なファイル形式で保存することができる。
【００３０】
その後、制御部１３０は、メモ機能の終了が選択されるか否かを確認して（Ｓ２４０）、メモ機能の終了が選択されると、アクティブ状態のメモ機能を非アクティブにした後に、アクティブ状態のスピーカフォン機能を非アクティブにする（Ｓ２５０）。
【００３１】
このメモ機能のアクティブ化又は非アクティブ化は、移動通信端末機が備えるメモ機能又はスピーカフォン機能が割り当てられた所定の機能キーをユーザが押下することによって実行される。すなわち、移動通信端末機は、メモ機能が非アクティブ状態にある通話状態で、ユーザがメモ機能キーを選択すると、スピーカフォン機能をアクティブにした後に、メモ機能をアクティブにする。一方、スピーカフォン機能で通話状態であり、メモ機能がアクティブ状態である場合に、ユーザがメモ機能キーを再度選択すると、アクティブ状態のメモ機能を非アクティブにした後に、スピーカフォン機能を非アクティブにする。
【００３２】
また、本一実施形態では、メモ機能は、使用目的に応じて少なくとも１つのサブメモ機能に区分されている。移動通信端末機は、通話状態で、メモ機能が選択されると、スピーカフォン機能をアクティブにした後、複数のサブメモ機能をディスプレイ部１６０に表示し、ユーザに対していずれか１つのサブメモ機能を選択させる。
【００３３】
メモ機能を含む付加サービスは、予め設定された少なくとも１つの所定キー又はメニューの選択により、アクティブ又は非アクティブにすることができる。すなわち、移動通信端末機は、付加サービスが非アクティブ状態にある通話状態で、ユーザが所定キーを押下するか又はメニューを選択すると、スピーカフォン機能をアクティブにした後に、付加サービスをアクティブにする。一方、移動通信端末機は、付加サービスのアクティブ状態で、ユーザによって所定キーが押下されるか又はメニューが選択されると、付加サービスを非アクティブにした後に、スピーカフォン機能を非アクティブにする。
【００３４】
つまり、移動通信端末機は、スピーカフォン機能がアクティブになった状態で、少なくとも１つの付加サービスをアクティブにして、その付加サービスを提供することができる。
【００３５】
ポータブルな移動通信端末機は、携帯の容易性から小型化しており、軽量でスリムな移動通信端末機は人気がある。これに応じて、対応する部品を多様に置換することができる。そのうち、入力部としてタッチスクリーン（touch screen）を備えた移動通信端末機を、本発明の第２実施形態として説明する。以下、本発明の第２実施形態に従うメモ機能を提供する移動通信端末機を、図３を参照して説明する。
【００３６】
図３は、本発明の第２実施形態によるメモ機能を提供する移動通信端末機を示す構成図である。
【００３７】
図３に示すように、本発明の第２実施形態によるメモ機能を提供する移動通信端末機は、送受信部３１０と、オーディオ処理部３２０と、メモリ３４０と、通話状態でユーザがメモ機能を選択するか否かを確認し、メモ機能が選択されるとスピーカフォン機能をアクティブにする制御部３３０と、メモ機能がアクティブになるとユーザによってメモ内容が入力されるタッチスクリーン３５０と、入力されたメモ内容を表示するディスプレイ部３６０と、例えば、タッチペンなどで入力された手書き文字を認識（判読）し、テキストデータに変換する（テキスト化する）テキスト認識部３７０と、を含んで構成されている。
【００３８】
このように構成された本発明の第２実施形態によるメモ機能を提供する移動通信端末機は、入力部としてのタッチスクリーン３５０と、手書き文字をデータとして認識するテキスト認識部３７０とを備える点を除けば、前述した本発明の第１実施形態によるメモ機能を提供する移動通信端末機と同様であるので、その詳細な説明は適宜省略する。以下、タッチスクリーンを用いてメモ機能を実行する動作原理を、図４Ａ〜図４Ｄを参照して説明する。
【００３９】
図４Ａ〜図４Ｄは、本発明の第２実施形態による移動通信端末機のメモ機能を実行する動作原理を説明するための図である。
【００４０】
図４Ａに示すように、本発明の第２実施形態による移動通信端末機は、現在、通話状態であり、タッチスクリーン３５０上にキーパッドを表示して、ユーザにキーパッドによる入力機能を提供する。このとき、ユーザは、メニュー選択又は所定のメモ機能キーによって、メモ機能をアクティブにする。これは、タッチスクリーン３５０に表示されたキーパッドに指を接触させてメモ機能をアクティブにするか、又はタッチペンなどを利用してメモ機能をアクティブにする。
【００４１】
図４Ｂに示すように、本発明の第２実施形態による移動通信端末機は、ユーザによってメモ機能がアクティブにされると、タッチスクリーン３５０上に表示したキーパッドを非表示にし、ユーザがタッチペンなどを用いて入力したメモ内容をそのまま表示する。ここで、ユーザが入力したメモ内容は、文字だけでなく絵を含むことができ、ユーザは入力したメモ内容を保存することができる。
【００４２】
図４Ｃに示すように、本発明の第２実施形態による移動通信端末機は、タッチスクリーン上に表示したメニューをユーザが選択したり、入力されたメモ内容が所定の容量を超えたり、又は所定時間が経過すると、タッチスクリーン３５０上に表示しているメモ内容をディスプレイ部３６０に移動して表示し、ユーザがタッチスクリーン３５０に連続してメモを入力できるようにする。
【００４３】
図４Ｄに示すように、本発明の第２実施形態による移動通信端末機は、タッチスクリーン３５０上に表示したメニュー、例えば、「移動」メニューをユーザが選択すると、タッチスクリーン３５０上のメモ内容をディスプレイ部３６０に移動して表示し、ユーザがタッチスクリーン３５０上にメモ内容を連続して入力できるようにする。また、「保存」メニューの選択によりメモ内容を保存することができる。さらに、「新規メモ」メニューの選択により、新しいメモ内容を入力する状態に移行することもできる。なお、この場合、移動通信端末機は、これまで入力されたメモ内容を保存するか否かをユーザに対して問い合わせる。
【００４４】
ここで、「保存」メニューによりメモ内容を保存する場合、そのメモ内容を、ユーザの選択によってイメージファイル形式又はテキストファイル形式で保存することができる。以下、入力されたメモ内容を保存する本実施形態に従う方法を、図５を参照して説明する。
【００４５】
図５は、本発明の第２実施形態による移動通信端末機のメモ内容を保存する方法を示すフローチャートである。
【００４６】
図５に示すように、本発明の第２実施形態による移動通信端末機のメモ内容を保存する方法は、ユーザによって保存機能が選択されたか否かを確認する段階（Ｓ５１０）と、保存機能が選択されると、ユーザに対して少なくとも１つの保存形式のうちいずれか１つを選択させる段階（Ｓ５２０）と、選択された保存形式がテキストであると、入力されたメモ内容の文字部分を認識してテキストデータ化する段階（Ｓ５３０）と、テキストデータ化が成功したか否かを確認する段階（Ｓ５４０）と、テキストデータ化が成功すると、入力されたメモ内容をテキストファイル形式で保存する段階（Ｓ５５０）と、を含んで構成される。
【００４７】
一方、移動通信端末機は、テキストデータ化に失敗するか、又は選択された保存形式がイメージファイル形式であると、入力されたメモ内容をイメージファイル形式で保存する（Ｓ５６０）。
【００４８】
以下、このような本発明の第２実施形態による移動通信端末機のメモ内容を保存する方法を更に詳細に説明する。
【００４９】
まず、制御部３３０は、保存機能が選択されるか否かを確認し（Ｓ５１０）、保存機能が選択されると、ユーザに対して少なくとも１つの保存形式のうちいずれか１つを選択させる（Ｓ５２０）。本実施形態では、保存形式を、イメージファイル形式及びテキストファイル形式としているが、本発明は、これに限定されるものではなく、例えば、ワープロソフトに合わせたファイルフォーマットで保存するようにしてもよく、移動通信端末機が提供可能なあらゆるファイル形式で保存することができる。
【００５０】
次に、制御部３３０は、選択された保存形式がイメージであると、入力されたメモ内容をイメージファイル形式でメモリ３４０に保存する。一方、選択された保存形式がテキストであると、入力されたメモ内容をテキスト認識部３７０に出力する。テキスト認識部３７０は、出力されたメモ内容の文字部分を認識して、テキストデータにする（テキスト化）（Ｓ５３０）。
【００５１】
次に、制御部３３０は、テキスト認識部３７０での文字認識が成功したか否かをユーザに対して確認（Ｓ５４０）する。メモ内容の文字認識が成功であると、テキストファイル形式でメモリ３４０に保存する（Ｓ５５０）。一方、メモ内容の文字認識が失敗であると、イメージファイル形式でメモリ３４０に保存する（Ｓ５６０）。なお、文字認識に失敗した場合であっても、ユーザの選択によって、メモ内容の文字部分を再度認識させたり、失敗した文字部分の再入力をユーザに対して求めるようにすることもできる。
【００５２】
テキスト認識部３７０は、メモ内容の文字認識結果を制御部３３０に送る。これを受信した制御部３３０は、メモ内容をイメージファイル形式又はテキストファイル形式でメモリ３４０に保存する。テキストファイル形式の場合、その容量は、イメージファイル形式よりも比較的、小さいため、ユーザはより多くのメモ内容をメモリ３４０に保存することができる。
【図面の簡単な説明】
【００５３】
【図１】本発明の第１実施形態によるメモ機能を提供する移動通信端末機を示す構成図である。
【図２】本発明の第１実施形態による移動通信端末機のメモ機能を提供する方法を示すフローチャートである。
【図３】本発明の第２実施形態によるメモ機能を提供する移動通信端末機を示す構成図である。
【図４Ａ】本発明の第２実施形態による移動通信端末機のメモ機能を実行する動作原理を説明するための図である。
【図４Ｂ】本発明の第２実施形態による移動通信端末機のメモ機能を実行する動作原理を説明するための図である。
【図４Ｃ】本発明の第２実施形態による移動通信端末機のメモ機能を実行する動作原理を説明するための図である。
【図４Ｄ】本発明の第２実施形態による移動通信端末機のメモ機能を実行する動作原理を説明するための図である。
【図５】本発明の第２実施形態による移動通信端末機のメモ内容を保存する方法を示すフローチャートである。
【符号の説明】
【００５４】
１１０、３１０  送受信部
１２０、３２０  オーディオ処理部
１３０、３３０  制御部
１４０、３４０  メモリ
１５０、３５０  入力部
１６０、３６０  ディスプレイ部
３５０  タッチスクリーン
３７０  テキスト認識部
【図１】
0005148083.tif 000002
【図２】
0005148083.tif 000003
【図３】
0005148083.tif 000004
【図４Ａ】
0005148083.tif 000005
【図４Ｂ】
0005148083.tif 000006
【図４Ｃ】
0005148083.tif 000007
【図４Ｄ】
0005148083.tif 000008
【図５】
0005148083.tif 000009